(57)【要約】【課題】自動現像機への誤装填防止を図るために設ける凹部により容器内の洗浄性が低下することのない写真処理剤用容器を得る。【解決手段】写真処理剤用容器１２の外側面２２に、自動現像機１００への誤装填を防止するための凹部２６を設け、この凹部２６は、写真処理剤用容器１２の外側面２２の高さ寸法の１／３より上部に配置し、且つ、最大深さを写真処理剤用容器１２の水平断面における厚さ寸法の１／２以下にする。洗浄では、洗浄ノズル１３０から噴射された洗浄液Ｗが凹部２６に遮られることなく、口部３７と対向する底部２０側の隅々まで行き渡るようになり、底部２０側に残留する写真処理剤は洗浄液Ｗによって確実に洗浄され自動現像機に供給される。【選択図】        図１１
2005017835.tif 000002
【特許請求の範囲】
【請求項１】
口部を下方に向けた状態で自動現像機に装填され、この装填後に前記口部を閉塞する閉塞部材が前記自動現像機に設けられた洗浄ノズルに穿孔されることにより内部に充填された写真処理剤を排出して自動現像機に供給するとともに、前記洗浄ノズルから噴射される洗浄液によって内部が洗浄される写真処理剤用容器であって、
前記自動現像機への誤装填を防止するための、写真処理剤用容器の外側面が局部的に凹状に変形された凹部を１つ以上有し、
前記凹部は、前記外側面の高さ寸法の１／３より上部に配置され、且つ、最大深さが写真処理剤用容器の水平断面における厚さ寸法の１／２以下とされていることを特徴とする写真処理剤用容器。
【請求項２】
前記凹部は、垂直断面形状が曲面状とされていることを特徴とする請求項１記載の写真処理剤用容器。
【発明の詳細な説明】
【０００１】
【発明の属する技術分野】
本発明は、現像液、漂白液、定着液等の異なる種類の写真処理剤がそれぞれ充填された複数の写真処理剤用容器を１セットにしてそれらの写真処理剤を一度に自動現像機に供給することができる写真処理剤カートリッジに用いられる写真処理剤用容器に関する。
【０００２】
【従来の技術】
フィルムの現像処理を行うフィルムプロセッサ、フィルム画像をプリント出力するプリンタプロセッサ等を備える自動現像機では、現像、漂白、定着等の各処理工程で、種類の異なる複数の写真処理剤（処理薬品）が使用される。これらの写真処理剤は、専用の写真処理剤用容器に充填されて現像所（ラボ）に供給され、オペレータがその写真処理剤用容器を自動現像機に装填することにより自動現像機に供給又は補充されるが、近年では、この写真処理剤の供給作業をオペレータが簡単且つ清潔に行えるようにするため、各写真処理剤がそれぞれ充填された複数の写真処理剤用容器を１セットで交換することができるカートリッジ方式が主流となっている。
【０００３】
例えば、図１４及び図１５に示される従来の写真処理剤カートリッジ２００では、現像液、漂白液、定着液をそれぞれ充填した３本の写真処理剤用容器２０２（２０２Ａ、２０２Ｂ、２０２Ｃ）が、直方体形状の収納箱（段ボール箱）２０４に収納されて１セットにされている。写真処理剤用容器２０２については、プラスチック製で図１６に示すように四角筒状に形成されるとともに、口部にはキャップ２０６及びパッキン２０８が取り付けられて、容器内の写真処理剤が漏れ出さないよう封止されている。
【０００４】
そしてこの写真処理剤カートリッジ２００は、オペレータの手作業により、写真処理剤用容器２０２の口部（キャップ２０６及びパッキン２０８）を下方に向けた逆さまの状態で、自動現像機のカートリッジ装填部に装填される。装填が完了すると、各写真処理剤用容器２０２に対応して設けられた穿孔部材（洗浄ノズル）がパッキン２０８を押圧して開封し、各写真処理剤は排出され自動現像機に供給される。さらに、洗浄ノズルから上方へ噴射される洗浄液によって写真処理剤用容器２０２の内部は洗浄され、その洗浄液が混合されることにより写真処理剤は所望の濃度に希釈される。このようなカートリッジ方式によって、オペレータは、容器及び写真処理剤に触れることなく、３種類の写真処理剤（現像液、漂白液、定着液）を一度に自動現像機に供給できるようになり、したがって、作業の簡便性及び清潔性が図られている。
【０００５】
また、この写真処理剤カートリッジには、２種類の写真処理剤を上述の写真処理剤用容器２０２よりも小容量の容器にそれぞれ充填してそれらを１セットにした小型サイズのものもあるが、それとは別に、上記３種類の写真処理剤の組み合わせによる同一サイズのカートリッジにおいて、使用する機種に応じて写真処理剤の成分を変えた複数の種類が用意されている。そして、それらの写真処理剤カートリッジが誤って他の機種に装填されることを防ぐため、収納箱２０４の前面２１０の上端部には、カートリッジの種類毎に数や配置を異ならせた切り欠きを形成し（図１４の例では２個の切り欠き２１２が左右非対称に配置されている）、自動現像機にはその切り欠きに嵌合する凸部を設け、カートリッジを装填する際の凸部と切り欠きの嵌合の可否により、その写真処理剤カートリッジの正誤をオペレータが判断できるようになっている（例えば、特許文献１参照）。
【０００６】
【特許文献１】
特開平１１−２８２１４８号公報  （第５−７頁、第９頁、第１図、第５図）
【０００７】
【発明が解決しようとする課題】
ところで、上述した写真処理剤カートリッジ２００の場合、自動現像機側の凸部が嵌合可能な切り欠き２１２又は開口等を形成できる部位は、内部が空洞になっている収納箱２０４の上端部に限られる。そのため、切り欠き２１２や開口等の数、配置の差異を利用する誤装填防止のパターン（形態）を、それ程多く設定することができない。これまでは、写真処理剤カートリッジの種類が少なかったため、上記の構造でも問題にはならなかったが、今後は、自動現像機の機種が増えるのに伴い写真処理剤カートリッジの種類も増加するため、更に多くの誤装填防止パターンを簡単に設定できる新たな構造が必要となっている。
【０００８】
現在、試作中のその新たな構造は、例えば、自動現像機の凸部に嵌合させる嵌合部を、写真処理剤用容器の外側面に設けた凹部、及びその凹部と対応して収納箱に形成した開口部によって構成し、嵌合部の数、配置の変更については、写真処理剤用容器の収納箱への収納向きを変えることで凹部の配置を変更し、それに収納箱の開口部の数、配置等を変更を組み合わるものである。
【０００９】
しかしながら、上記の構造では、写真処理剤用容器に設ける凹部の位置や深さ（大きさ）等の条件によっては、洗浄時に洗浄液が凹部に遮られてしまう。そのため、洗浄液が容器内の隅々まで行き渡らなくなり、洗浄性が低下するといった新たな問題を生じる。
【００１０】
本発明は上記事実を考慮して、自動現像機への誤装填防止を図るために設ける凹部により容器内の洗浄性が低下することのない写真処理剤用容器を提供することを課題とする。
【００１１】
【課題を解決するための手段】
上記目的を達成するために請求項１に記載の発明は、口部を下方に向けた状態で自動現像機に装填され、この装填後に前記口部を閉塞する閉塞部材が前記自動現像機に設けられた洗浄ノズルに穿孔されることにより内部に充填された写真処理剤を排出して自動現像機に供給するとともに、前記洗浄ノズルから噴射される洗浄液によって内部が洗浄される写真処理剤用容器であって、前記自動現像機への誤装填を防止するための、外側面が局部的に凹状に変形された凹部を１つ以上有し、前記凹部は、前記外側面の高さ寸法の１／３より上部に配置され、且つ、最大深さが写真処理剤用容器の水平断面における厚さ寸法の１／２以下とされていることを特徴としている。
【００１２】
請求項１に記載の発明では、写真処理剤用容器の内部には写真処理剤が充填され口部は閉塞部材により閉塞されて封止されており、この写真処理剤用容器を、口部を下方に向けた状態で自動現像機に装填すると、装填後に、自動現像機に設けられた洗浄ノズルによって閉塞部材が穿孔される。これにより、写真処理剤用容器の内部に充填された写真処理剤が排出され自動現像機に供給される。またこれに伴い、洗浄ノズルから噴射される洗浄液により写真処理剤用容器の内部は洗浄され、残留する写真処理剤を無駄なく使用できるとともに、写真処理剤は所望の濃度に希釈される。
【００１３】
そしてこの写真処理剤用容器には、自動現像機への誤装填を防止するため、写真処理剤用容器の外側面を局部的に凹状に変形させた凹部を１つ以上設け、凹部については、外側面の高さ寸法の１／３より上部に配置し、且つ、最大深さを、写真処理剤用容器の水平断面における厚さ寸法の１／２以下とする。
【００１４】
これにより、洗浄時に洗浄ノズルから噴射された洗浄液が、凹部に遮られることなく、口部と対向する容器底部側の隅々まで行き渡るようになり、その容器底部側に残留する写真処理剤は、洗浄液によって確実に洗浄され自動現像機に供給される。したがって、自動現像機への誤装填防止を図るために設ける凹部によって、写真処理剤用容器内の洗浄性が低下することを回避できる。
【００１５】
請求項２に記載の発明は、請求項１記載の写真処理剤用容器において、前記凹部は、垂直断面形状が曲面状とされていることを特徴としている。
【００１６】
請求項２に記載の発明では、凹部の垂直断面形状を曲面状することにより、凹部の上方から凹部を伝って流下する、写真処理剤及び洗浄液の混合液の流動性が良好になる。
【００１７】
【発明の実施の形態】
以下、図面を参照して本発明の実施の形態を説明する。
【００１８】
［第１の実施形態］
図１及び図２には、本発明の第１の実施形態に係る写真処理剤カートリッジ１０が示されており、図３〜図８には、写真処理剤カートリッジ１０が備える写真処理剤用容器１２が示されている。
【００１９】
図１及び図２に示すように、写真処理剤カートリッジ１０は３本の写真処理剤用容器１２（１２Ａ、１２Ｂ、１２Ｃ）及び収納箱１４によって構成されている。各写真処理剤用容器１２には、現像液、漂白液、定着液がそれぞれ充填されており、それらの写真処理剤用容器１２は収納箱１４に収納されて１セット（１パッケージ）にされている。
【００２０】
この３本の写真処理剤用容器１２は、同材料により同形状に形成された同一構成とされており、ここでは、ＰＥ（ＨＤＰＥ（高密度ポリエチレン）／ＬＰＤＥ（低密度ポリエチレン））等のプラスチック材料を用い、ダイレクトブロー成型法又はインジェクションブロー成型法等のブロー成型法によって四角筒状に形成されている。
【００２１】
図８に示すように、写真処理剤用容器１２の底部２０の形状は、４つの角部がＲ形状とされ４辺の長さ寸法Ｌ１が等しくされた略正方形とされている。なお、この略正方形を形成する各辺は、成型のために外側に少し湾曲しており、ここでの各辺の長さ寸法Ｌ１については、その湾曲部を含む最大長さ寸法としている。またこの長さ寸法Ｌ１が、写真処理剤用容器１２の水平断面における厚さ寸法となっている。
【００２２】
底部２０の各辺からは４つの外側面２２が垂直に立ち上がっており、これらの４つの外側面２２によって写真処理剤用容器１２の胴部２４は形成されている。また、外側面２２の１つには、上下方向の中央よりも上側に位置して凹部２６が１個設けられている（図３〜図７参照）。
【００２３】
凹部２６は、図５に示すように正面視が横長の略矩形状で、その上下の各長辺が外側面２２の長辺（胴部２４の角部）に対して略垂直となる向きにされており、図６に示す側面視及び図７に示す垂直断面視においては、角部がＲ形状とされた略台形の曲面状とされている。また、図８の水平断面に示すように、凹部２６の側端部には、角部を斜め約４５度に面取りするとともに、外側面２２に対して凹みとなる傾斜面部２７が設けられている。これらの凹部２６、及び凹部２６と連続的に設けられた傾斜面部２７は、外側面２２を局部的に凹状に変形させることにより形成されている。なお、本実施形態では、傾斜面部２７が、凹部２６が設けられた外側面２２と、隣接する外側面２２とに跨って配置されているため（図６参照）、凹状部全体としては３つの外側面２２に連なって配設されている。ただし、後述する誤装填防止として機能する部位は凹部２６であるため、ここでは、実質的に凹部は４面の外側面の何れか１面に１個設けられた構成となっている。
【００２４】
写真処理剤用容器１２の胴部２４の上側には、胴部２４を絞って形成された四角錘状の肩部２８が設けられており、肩部２８の頂部には、上方へ円筒状に突出された円筒部３０が設けられている。
【００２５】
円筒部３０は、軸方向の下側が肩部２８に繋がれた大径部３２、軸方向の上側が大径部３２よりも小径の小径部３４とされた２段構成となっており、これらの大径部３２と小径部３４の間には、大径部３２の径寸法よりも少し大径とされた円形のフランジ３６が同軸的に設けられている。また、小径部３４の外周面の上端部（先端部）には、図示しない雄ねじが形成されており、この小径部３４の上端部には、小径部３４（円筒部３０）の先端に設けられた平面視円形の口部３７を閉塞するキャップ３８及びパッキン４０が取り付けられている。
【００２６】
キャップ３８及びパッキン４０は、ＰＥ（ポリエチレン）等のプラスチック材料により形成されている。キャップ３８は、円筒状とされてその内周面には小径部３４の雄ねじに螺合する図示しない雌ねじが形成されており、内周面の上縁部には、所定寸法縮径されて段状に形成された段状部が設けられている。パッキン４０については、円筒部３０の口部３７を塞ぐ大きさの円形の蓋状とされており、図３及び図４に示す取付状態でキャップ３８の空洞部から露出される非閉塞面（表面）４２には、中心部から外周側へ放射状に延出された４本の溝４４によって構成される脆弱部が設けられている。
【００２７】
また、本実施形態の写真処理剤用容器１２における好ましい各寸法は以下の通りとなっている。
【００２８】
写真処理剤用容器１２の高さ寸法（底部２０の底面からキャップ３８の上面までの寸法）Ｈ１は約３０６ｍｍである。ただしこの高さ寸法Ｈ１は、パッキン４０の厚さ寸法精度やキャップ３８の締め付け強度等の影響により多少のばらつきを生じる。写真処理剤用容器１２の底部２０の底面から口部３７先端までの高さ寸法Ｈ２は約３０１ｍｍであり、写真処理剤用容器１２の底部２０の底面からフランジ３６の上面までの高さ寸法Ｈ３は約２６３ｍｍであり、写真処理剤用容器１２の底部２０の底面から胴部２４の上端（胴部２４と肩部２８との境界）までの外側面２２の高さ寸法Ｈ４は約２５０ｍｍであり、写真処理剤用容器１２の厚さ寸法Ｌ１は約７８ｍｍである。
【００２９】
凹部２６については、写真処理剤用容器１２の底部２０の底面から凹部２６の下縁までの高さ寸法Ｈ５は約１４５ｍｍであり、凹部２６の高さ寸法Ｈ６は約４０ｍｍであり、凹部２６の深さ寸法Ｄ１は約１０ｍｍであり、容積は約３０ｍＬである。
【００３０】
写真処理剤用容器１２の胴部２４及び凹部２６の平均肉厚は０．３〜０．７ｍｍである。
【００３１】
また凹部２６が無い場合の写真処理剤用容器１２の胴部２４の容積（容量）は、その肉厚、底部２０と胴部２４との境界部となる角部のＲ形状、底部２０中央の凹形状、胴部２４の水平断面における４つの角部のＲ形状、及び外側面２２の湾曲形状等による容積減少分を無視すると、約２５０ｍｍ×約７８ｍｍ×約７８ｍｍ＝約１５２１ｍＬとなり、凹部２６が有る場合の写真処理剤用容器１２の胴部２４の実質的な容積は、約１５２１ｍＬ−約３０ｍＬ＝約１４９１ｍＬである。したがって、この凹部２６の容積は、写真処理剤用容器１２の胴部２４の容積（容量）の２％程度を占めている（約３０ｍＬ／約１５２１ｍＬ×１００）。
【００３２】
なお、本実施形態の写真処理剤用容器１２では、胴部２４と肩部２８との境界部は写真処理剤用容器１２の強度を保つために曲面状になっており、胴部２４と凹部２６との境界部は成形により微小な曲面状になっている。そのため、上記の高さ寸法Ｈ４を示す胴部２４と肩部２８との境界は、図７に示すように、垂直断面における胴部２４の外側面２２の延長線と肩部２８表面の延長線との交点Ｐ１（仮想境界）としている。また高さ寸法Ｈ５及び高さ寸法Ｈ６を示す胴部２４と凹部２６との境界は、垂直断面における胴部２４の外側面２２（平面）と凹部２６縁の曲面との変曲点Ｐ２としている。また、本実施形態の凹部２６は底面が平面状であるため、写真処理剤用容器１２の外側面２２から凹部２６の底面までの深さが凹部２６の最大深さとなる。
【００３３】
したがって、本実施形態の好ましい凹部２６は、写真処理剤用容器１２の外側面２２の高さ寸法の１／３より上部に配置され（Ｈ５（約１４５ｍｍ）＞１／３Ｈ４（約８３．３ｍｍ））、且つ、最大深さが写真処理剤用容器１２の水平断面における厚さ寸法の１／２以下とされている（Ｄ１（約１０ｍｍ）≦１／２Ｌ１（約３９ｍｍ））。さらにここでは、凹部２６の底面に対する傾斜面部２７の深さ寸法をＤ２とすると、凹部２６にその傾斜面部２７を含めた凹状部全体の深さ（図８のＤ１寸法＋Ｄ２寸法）においても、上記の厚さ寸法の１／２以下とされている（Ｄ１＋Ｄ２≦１／２Ｌ１）。
【００３４】
写真処理剤用容器１２は以上の構成とされており、この写真処理剤用容器１２に、円筒部３０の口部３７を開放した状態で写真処理剤を所定量注入した後、口部３７にパッキン４０を被せ円筒部３０の先端部にキャップ３８をねじ込んで取り付けると、キャップ３８に内装されたパッキン４０がキャップ３８の段状部により口部３７に押圧固定され口部３７が閉塞される。これにより、内部に写真処理剤を充填した写真処理剤用容器１２が形成される。
【００３５】
一方、上記の写真処理剤用容器１２を収納する収納箱１４は、段ボール製とされており、図１及び図２に示すように、写真処理剤用容器１２を収納した状態では直方体形状とされている。
【００３６】
収納箱１４は、上面が矩形状に開口し内部が空洞とされて写真処理剤用容器１２を収納可能な箱本体５０、及びその箱本体５０の開口５２を閉塞する中蓋５４と外蓋５６を備えている。
【００３７】
箱本体５０の開口５２は、短辺の長さ寸法が写真処理剤用容器１２のＬ１寸法とほぼ同じとされ、長辺の長さ寸法がＬ１寸法の３倍とほぼ同じとされている。箱本体５０の空洞部の深さ（高さ）寸法については、写真処理剤用容器１２の底部２０からフランジ３６の上面までの高さ寸法Ｈ３（図５参照）よりも僅かに大きくされている。また、箱本体５０には、詳細については後述する複数の開口部が形成されている。
【００３８】
中蓋５４は、箱本体５０の後面５８の上縁に繋がれて、箱本体５０の開口５２よりも一回り小さい矩形状とされている。箱本体５０との接続部となる上縁には折り目が設けられており、この折り目によって中蓋５４は、箱本体５０の開口５２を閉塞する方向又は開放する方向へ折り曲げ可能とされている。また、中蓋５２には、長手方向に沿って所定の間隔で配置された３個の円形孔６２が形成されている。これらの円形孔６２は、写真処理剤用容器１２のキャップ３８の最大径部よりも直径が少し大きくされており、中心が中蓋５４の先端側に所定寸法オフセットされている。
【００３９】
外蓋５６は、箱本体５０の前面６４の上縁に繋がれており、その上縁に繋がれて箱本体５０の開口５２とほぼ同じ大きさの矩形状とされた蓋部６８、及び蓋部６８の先端側に設けられた固定部７０により構成されている。箱本体５０との接続部となる上縁には折り目が設けられており、この折り目によって外蓋５６は、箱本体５０の開口５２を閉塞する方向又は開放する方向へ折り曲げ可能とされている。さらに、蓋部６８と固定部７０との接続部にも、上縁６６の折り目と平行に折り目が設けられており、これによって固定部７０は、蓋部６８に対して折り曲げ可能とされている。また、蓋部６８には、長手方向に沿って所定の間隔で配置された３個の円形孔７２が形成されている。これらの円形孔７２は、写真処理剤用容器１２のキャップ３８の最大径部よりも直径が少し大きくされて中蓋５４の円形孔６２と略同径とされており、中心が外蓋５６の先端側に所定寸法オフセットされている。
【００４０】
収納箱１４は以上の構成とされており、この収納箱１４に、前述した写真処理剤用容器１２を収納する際は、箱本体５０の中蓋５４及び外蓋５６を開放し、写真処理剤用容器１２を図３〜図６に示す縦向きにして底部２０側から箱本体５０の開口５２に挿入する。３本の写真処理剤用容器１２を箱本体５０に全て挿入すると、各写真処理剤用容器１２は、隣接する写真処理剤用容器１２の外側面２２同士が面接するとともに、他の外側面２２が箱本体５０の内面に面接して横一列に整列される。これにより、写真処理剤用容器１２同士及び写真処理剤用容器１２と箱本体５０の間には無駄なスペースが殆ど生じない状態となり、さらに、写真処理剤用容器１２の箱本体５０内での前後方向及び左右方向へのガタツキも抑えられる。
【００４１】
この状態で、各写真処理剤用容器１２のキャップ３８及び円筒部３０の小径部３４は、箱本体５０の上面（開口５２）よりも上方へ突出されており、次に、中蓋５４及び外蓋５６をその順番で開口５２側に折り曲げる。
【００４２】
先ず、中蓋５４を折り曲げると、各円形孔６２はそれぞれキャップ３８及び小径部３４を貫通し、中蓋５４が箱本体５０の後面５８に対して略直角に折り曲げられた位置で各円形孔６２の孔縁の基端側がフランジ３６に略当接する（図１参照）。続いて、外蓋５６を折り曲げると、各円形孔７２はそれぞれキャップ３８及び小径部３４を貫通し、外蓋５６が箱本体５０の前面６４に対して略直角に折り曲げられた位置で各円形孔７２の孔縁の基端側がフランジ３６に略当接するとともに、蓋部６８が中蓋５４に重ね合わせられる（図１参照）。
【００４３】
最後に、外蓋５６の固定部７０を蓋部６８に対して下方へ略直角に折り曲げ、箱本体５０の後面５８に面接させて接着し固定すると、箱本体５０の開口５２は中蓋５４と外蓋５６によって二重に塞がれるとともに、各写真処理剤用容器１２は、フランジ３６が中蓋５４と外蓋５６に押えられることで箱本体５０内での上下方向へのガタツキが抑えられる。以上により、３本の写真処理剤用容器１２を収納箱１４に横一列に収納して１セットにするとともに、各写真処理剤用容器１２のキャップ３８及びパッキン４０を外部へ露出させた構造の写真処理剤カートリッジ１０が構成される。
【００４４】
また、各写真処理剤用容器１２の収納箱１４への収納においては、凹部２６の配置を異ならせる複数の収納向きが選択可能とされている。本実施の形態では、写真処理剤用容器１２を軸心回りに９０度間隔で回転させることにより、凹部２６を前後左右方向の何れかに向けて配置する４通りの収納向きが選択可能とされている。そしてここでは、横一列の配列において左側に配置される写真処理剤用容器１２Ａ及び右側に配置される写真処理剤用容器１２Ｃは、共に凹部２６を左方向に向け、中央に配置される写真処理剤用容器１２Ｂは、凹部２６を右方向に向けて、収納箱１４にそれぞれ収納している。これにより、写真処理剤用容器１２Ｂの凹部２６と、写真処理剤用容器１２Ｃの凹部２６とが対向し、これらの２つの凹部２６によって、前後方向に貫通する縦長略六角形状の貫通孔が形成されている。
【００４５】
前述したように本実施形態の収納箱１４の箱本体５０には、孔や切り欠きを含む複数の開口部が形成されている。
【００４６】
図１及び図２に示すように、箱本体５０の前面６４及び後面５８には、各面の上下方向中央よりも下側で且つ左右側部の対称位置に、上下に所定の間隔で配置された二対の円形孔７４が形成されている（片面当たり４個、両面で計８個）。これらの円形孔７４は、写真処理剤カートリッジ１０を持つ際に指先を引っ掛けるためのものであり、直径が約１８ｍｍとされている。
【００４７】
本実施形態の写真処理剤カートリッジ１０では、写真処理剤用容器１２を３本有するために重量があり、加えて収納箱１４は段ボール製であるため、収納箱１４の表面が平滑面であると、オペレータ等は、写真処理剤カートリッジ１０の収納箱１４を持った際に手が滑らないよう収納箱１４を強い力で掴む必要がある。そのため、収納箱１４を掴んだ両手の指先が置かれる箱本体５０の左右側部に円形孔７４を複数形成し、それらの円形孔７４に指先を引っ掛けられるようにすることで、写真処理剤カートリッジ１０が滑らずに持ちやすくされている。
【００４８】
箱本体５０の前面６４の上端部には、縦長矩形状の切り欠き７６が２個形成されている。これらの切り欠き７６は、従来の写真処理剤カートリッジ２００の切り欠き２１２と同じ左右非対称の所定位置に配置されている。
【００４９】
また、箱本体５０の左側面７８と、前面６４及び後面５８とには、３本の写真処理剤用容器１２を収納した状態で各写真処理剤用容器１２の凹部２６と対応する部位に開口８０、８２、８４が形成されている。
【００５０】
詳細には、箱本体５０の左側面７８には、写真処理剤用容器１２Ａの凹部２６と対応する切り欠き状の開口８０が形成されている。この開口８０は、左側面視が矩形状とされて凹部２６と高さ寸法がほぼ同じとされており、前面６４側及び後面５８側は縦長略半楕円形状に切り欠かれてその切り欠き部の深さ寸法が凹部２６の深さ寸法とほぼ同じとされている。そしてこれらの開口８０と凹部２６とによって、写真処理剤カートリッジ１０の収納箱１４の左側端部には、前後方向に貫通する凹部からなる第１嵌合部８６が形成されている。
【００５１】
箱本体５０の前面６４及び後面５８には、対向して配置された写真処理剤用容器１２Ｂの凹部２６及び写真処理剤用容器１２Ｃの凹部２６と対応する縦長略楕円形状の開口８２、８４がそれぞれ形成されている。これらの開口８２、８４は、対向する２つの凹部２６によって形成された縦長略六角形状の貫通孔と、高さ及び幅寸法がほぼ同じとされている。そしてこれらの開口８２、８４と２つの凹部２６とによって、写真処理剤カートリッジ１０の収納箱１４の上下方向中央よりも少し上側で、且つ、左右方向中央よりも少し右側には、前後方向に貫通する貫通孔からなる第２嵌合部８８が形成されている。
【００５２】
図９及び図１０には、上述した写真処理剤カートリッジ１０が装填される自動現像機（デジタルラボシステム）１００のカートリッジ装填部１２０が示されている。本実施形態のカートリッジ装填部１２０には、前面の開口形状が略四角形とされた凹部１２２が設けられており、凹部１２２の前面には、凹部１２２を開放及び閉塞する位置に開閉移動可能とされた扉１２４が取り付けられている。
【００５３】
凹部１２２は、高さ寸法が写真処理剤カートリッジ１０の収納箱１４の高さ寸法よりも所定寸法大きくされ、幅さ寸法が収納箱１４の幅寸法よりも僅かに大きくされており、深さ（奥行き）寸法については、収納箱１４の厚さ寸法よりも僅かに大きくされている。
【００５４】
凹部１２２の底壁１２６には、左右方向に所定の間隔で配列された３個の挿入孔１２８が形成されている。これらの挿入孔１２８には、写真処理剤カートリッジ１０の装填時に写真処理剤用容器１２Ａ、１２Ｂ、１２Ｃの各々の口部３７（キャップ３８及びパッキン４０）が挿入されるようになっており、各挿入孔１２８の内部には、先端を円錐状とした洗浄ノズル１３０が同軸的に配設されている。これらの洗浄ノズル１３０は、先端のノズル孔から洗浄液を上方へ円錐状に噴射するスプレーノズルとされており、図示しない駆動機構によって上下方向（図中の矢印Ａ方向）へ移動するよう構成されている。また、各洗浄ノズル１３０には、自動現像機１００に内蔵された図示しないポンプから、配管を通して洗浄液が各々供給されるようになっている。
【００５５】
なお、本実施形態の自動現像機１００では、洗浄液の噴射圧力は約０．１３７〜０．１５７ＭＰａであり、噴射量は１８〜２２ｍＬ／ｓｅｃであり、噴射時間は３０〜６０ｓｅｃであり、噴射角度（θ）は３０〜６０度であり、洗浄液については水又は薬品が用いられる。ただし、噴射時間は使用可能な液量によって異なり、また写真処理剤の濃縮度によって決定される。噴射角度については、３０度よりも小さくなると洗浄液の噴流が直噴に近くなるため写真処理剤用容器１２の内側面に噴流が直接当たらなくなってその洗浄性が低下し、また６０度よりも大きくなると噴流の中心部が希薄になるため噴流が写真処理剤用容器１２の内底面に直接当たらなくなってその洗浄性が低下する。
【００５６】
凹部１２２の奥壁１３２には、写真処理剤カートリッジ１０の２個の切り欠き７６、第１嵌合部８６及び第２嵌合部８８と対応する計４個の凸部が設けられている。
【００５７】
２個の切り欠き７６と対応する２個の凸部１３４は、奥壁１３２の下端部の所定位置にそれぞれ配置されている。第１嵌合部８６と対応する第１嵌合凸部１３６は、奥壁１３２の上下方向中央よりも少し下側で、且つ、奥壁１３２の左側端部に配置されている。また、第２嵌合部８８と対応する第２嵌合凸部１３８は、第１嵌合凸部１３６と同じ高さ位置で、且つ、左右方向中央よりも少し右側に配置されている。
【００５８】
カートリッジ装填部１２０は以上の構成とされており、次に、このカートリッジ装填部１２０を備える自動現像機１００への写真処理剤カートリッジ１０の装填方法について説明する。
【００５９】
写真処理剤カートリッジ１０を自動現像機１００に装填するには、オペレータが、図９に示すようにカートリッジ装填部１２０の扉１２４を開放した後、写真処理剤カートリッジ１０の収納箱１４を掴んで上下逆さまの向きにし、収納箱１４の前面６４側を凹部１２２に向けて装填する。
【００６０】
ここでは、先ず、写真処理剤カートリッジ１０を手前に少し傾けた姿勢で、写真処理剤用容器１２Ａ、１２Ｂ、１２Ｃのキャップ３８を挿入孔１２８に挿入する。キャップ３８を挿入孔１２８に挿入していくと、写真処理剤カートリッジ１０の切り欠き７６が凸部１３４に位置合わせされてそれらは嵌合し、さらなる挿入が可能となる。そのままキャップ３８の挿入を続け、収納箱１４の外蓋５６が凹部１２２の底壁１２６に当接すると挿入完了となり、続いて、写真処理剤カートリッジ１０を凹部１２２に押し込んでいく。
【００６１】
この押し込みでは、写真処理剤カートリッジ１０の第１嵌合部８６及び第２嵌合部８８が第１嵌合凸部１３６及び第２嵌合凸部１３８に位置合わせされてそれぞれ嵌合し、さらなる押し込みが可能となる。そしてそのまま写真処理剤カートリッジ１０を凹部１２２に押し込み、収納箱１４の前面６４が凹部１２２の奥壁１３２に当接すると、写真処理剤カートリッジ１０の装填が完了する。
【００６２】
以上の装填作業において、オペレータは、第１嵌合部８６と第１嵌合凸部１３６、及び、第２嵌合部８８と第２嵌合凸部１３８とがそれぞれ嵌合し、写真処理剤カートリッジ１０を無事に装填できたことにより、この写真処理剤カートリッジ１０が自動現像機１００に対する適正品であると判断できる。一方、上記の嵌合部（第１嵌合部８６及び第２嵌合部８８）とは数や配置が異なる形態の写真処理剤カートリッジをこの自動現像機１００に装填した場合は、その嵌合部と第１嵌合凸部１３６、第２嵌合凸部１３８とが嵌合しないため、写真処理剤カートリッジを装填することができない。そのため、オペレータは、装填不可能となる写真処理剤カートリッジが自動現像機１００に対し不適品であると判断できる。またこの写真処理剤カートリッジ１０では、写真処理剤用容器１２Ａ、１２Ｂ、１２Ｃの収納向きと収納箱１４に形成する開口部の数、配置を変更することにより、上述した誤装填防止のために設ける嵌合部の数及び配置を異ならせる組み合わせ（誤装填防止パターン）を、数多くしかも簡単に形成することができる。
【００６３】
そして、写真処理剤カートリッジ１０の装填完了後に、オペレータが写真処理剤の供給動作を開始させる所定の操作を行うと、洗浄ノズル１３０が上昇して写真処理剤用容器１２Ａ、１２Ｂ、１２Ｃのパッキン４０を押圧する。すると、パッキン４０に形成された４本の溝４４が中央部から切り裂かれ、洗浄ノズル１３０の更なる上昇に伴いその裂け目が広がって写真処理剤用容器１２Ａ、１２Ｂ、１２Ｃは開封される。これにより、各容器内の写真処理剤は排出され自動現像機１００に供給される。
【００６４】
続いて、図１１に示すように、自動調液機能により、洗浄ノズル１３０の先端部から洗浄液Ｗが噴射され、写真処理剤用容器１２（１２Ａ、１２Ｂ、１２Ｃ）の内部は洗浄される。
【００６５】
そしてこの写真処理剤用容器１２には、自動現像機１００への誤装填を防止するため、容器の外側面を局部的に凹状に変形させた凹部２６を設けているが、凹部２６については、写真処理剤用容器１２の外側面２２の高さ寸法の１／３より上部に配置し、且つ、最大深さを、写真処理剤用容器１２の水平断面における厚さ寸法の１／２以下としている。これにより、洗浄時に洗浄ノズル１３０から噴射された洗浄液Ｗが、凹部２６に遮られることなく、口部３７と対向する底部２０側の隅々まで行き渡るようになり、その底部２０側に残留する写真処理剤は、洗浄液Ｗによって確実に洗浄され自動現像機１００に無駄なく供給されるとともに、洗浄液Ｗと混合して所望の濃度に希釈される。
【００６６】
またこのように、３本の写真処理剤用容器１２Ａ、１２Ｂ、１２Ｃを１セットにした写真処理剤カートリッジ１０を用いるカートリッジ方式によって、オペレータは、写真処理剤用容器及び写真処理剤に触れることなく、３種類の写真処理剤（現像液、漂白液、定着液）を一度に自動現像機１００に供給できるようになる。したがって、作業の簡便性及び清潔性が図られる。
【００６７】
以上説明したように、本実施の形態に係る写真処理剤用容器１２では、自動現像機１００への誤装填防止を図るために設けた凹部２６によって、写真処理剤用容器１２内の洗浄性が低下することを回避できる。
【００６８】
また、本実施の形態では、凹部２６の垂直断面形状が、角部がＲ形状とされた略台形の曲面状であるため、図９の矢印Ｂに示すように、写真処理剤用容器１２内の洗浄において、上方から容器内面を伝って凹部２６を流下する写真処理剤及び洗浄液の混合液の流動性が良好になる。
【００６９】
また、本実施の形態では、写真処理剤用容器１２を四角筒状としたことにより、収納箱１４への収納における写真処理剤用容器１２同士及び写真処理剤用容器１２と収納箱１４の間に生じる無駄なスペースが小さくされている。また、写真処理剤用容器１２に設ける凹部２６は、４面の外側面２２の何れか１面に１個としたことにより、凹部を複数設ける場合と比較しての容器の容量低下を抑えながらも、収納箱１４への収納では、凹部２６の配置を異ならせる収納向きが４つの向きから選択できるようになる。
【００７０】
また、本実施の形態では、３本の写真処理剤用容器１２を同一構成としたことにより、すなわち、同材料により同形状に形成された一種類の写真処理剤用容器１２を用いていることにより、写真処理剤用容器１２及び写真処理剤カートリッジ１０の製造管理が容易となってコストが抑えられる。
【００７１】
［第２の実施形態］
第２の実施形態は、第１の実施形態で説明した写真処理剤用容器１２に設ける凹部の形状を変更した変形例である。なお、第１の実施形態で説明した構成と同一構成については同じ符合を付してその説明は省略する。
【００７２】
図１２に示す第２の実施形態に係る凹部９０は、写真処理剤用容器１２の外側面２２に、第１実施形態の凹部２６と同じ位置に設けられている。
【００７３】
この凹部９０は、垂直断面形状が、一定の曲率半径Ｒを持つ円弧面からなる曲面状とされている。また、水平断面においては、図８に示した第１実施形態の凹部２６とほぼ同じ形状とされている。
【００７４】
凹部９０の深さ寸法Ｄ３については、第１実施形態の凹部２６と同じく約１０ｍｍとされている。なお、この凹部９０は円弧面からなる曲面状であるため、写真処理剤用容器１２の外側面２２表面から凹部９０の中央部までの深さが最大深さとなる。
【００７５】
このように、垂直断面形状を円弧面からなる曲面状とした凹部９０であれば、写真処理剤用容器１２内の洗浄において、図１３の矢印Ｃに示すように、凹部９０を流下する写真処理剤及び洗浄液の混合液の流動性が更に良好になる。
【００７６】
また、この凹部９０の場合も、写真処理剤用容器１２の外側面２２の高さ寸法の１／３より上部に配置し、且つ、最大深さを、写真処理剤用容器１２の水平断面における厚さ寸法の１／２以下としていることにより、写真処理剤用容器１２内の洗浄性が良好になる。
【００７７】
以上、本発明を上述した第１及び第２の実施形態により詳細に説明したが、本発明はそれらに限定されるものではなく、本発明の範囲内にて他の種々の実施形態が可能である。
【００７８】
例えば、上述した実施形態では、複数（３本）の写真処理剤用容器を全て同一構成としているが、これに限らず、例えば、凹部の有無や数、配置等が異なる複数種類の写真処理剤用容器を組み合わせて用いてもよい。これに関連し、写真処理剤用容器に設ける凹部の数は１個に限らず、２個以上でもよい。凹部を１つの写真処理剤用容器に複数設ける場合の各凹部の配置については、四角筒状等の多面体筒状の写真処理剤用容器においては、全て同じ外側面に配置する、あるいは複数の外側面に配置することができる。また写真処理剤用容器の形状は四角筒状に限らず、その他の多角形筒状又は円筒状でもよい。角筒状の写真処理剤用容器に凹部を複数設ける場合の各凹部の配置についても、全て同じ外側面に配置する、あるいは複数の外側面に配置することができる。
【００７９】
カートリッジ形態にセット化する写真処理剤用容器の数は、３本に限らず、２本又は４本以上でもよい。
【００８０】
写真処理剤用容器１２の口部３７を閉塞するパッキン４０の溝４４については、４本の溝が放射状に延出されるとともに湾曲した形状とされているが、これに限らず、例えば、４本の溝が放射状に直線的に延出される十字形状、あるいは、直線状の１本の溝からなる一文字形状等としてもよい。
【００８１】
収納箱については、段ボール製に限らず、プラスチック製等でもよい。また、上述した収納箱１４には、従来の誤装填防止に用いていた切り欠き２１２を残しているが、これは取り除いても構わない。また、この切り欠き２１２の有無や数、配置の差異を本発明の誤装填防止パターンに組み合わせてもよく、それによって、さらに多くの誤装填防止パターンが設定できるようになる。
【００８２】
複数の写真処理剤用容器を１セットにする収納箱１４は、複数の写真処理剤用容器を結束するテープ材、あるいは複数の写真処理剤用容器を包装するフィルム材等に置き換えてもよい。
【００８３】
また凹部の形状及び大きさ等については、上述した実施形態に限らず、自動現像機に設ける嵌合凸部が嵌合可能なものであり、且つ、洗浄性を低下させない条件の深さに設定されるものであれば如何なる形状及び大きさでも構わない。ただし、洗浄液Ｗの噴射状態は、洗浄ノズル１３０のノズル孔の寸法精度、あるいはポンプ性能のバラツキ等により、例えば噴射圧力が低下したり噴射角度が大きくなるなど多少変化する。また凹部が、写真処理剤用容器の胴部（外側面）に隣接する肩部に跨って設けられた場合には、凹部の上部が開放されることにより、その肩部周辺の剛性が必要強度に保てなくなり変形しやすくなる恐れがある。さらに凹部を大きくすると、必要容量を保つために写真処理剤用容器全体が大きくされるため、容器サイズ及び形状等を考慮の上、嵌合凸部との嵌合を果たす範囲においてできるだけ小さい方が好ましい。
【００８４】
そのため、それらを考慮すると、凹部の位置（Ｈ５）は、写真処理剤用容器の外側面の高さ寸法（Ｈ４）の１／３より上部であり、好ましくは１／２より上部であり、より好ましくは２／３より上部で且つ外側面上端部の高さ方向５ｍｍ範囲より下部である。凹部の位置が写真処理剤用容器の外側面の高さ寸法の１／３（写真処理剤用容器１２の場合は約８３ｍｍ）より上部であれば、洗浄液の噴射状態が正常な場合の写真処理剤用容器内の洗浄性低下を回避でき、凹部の位置が写真処理剤用容器の外側面の高さ寸法の１／２（写真処理剤用容器１２の場合は約１２５ｍｍ）より上部であれば、洗浄液の噴射状態が多少変化した場合でも写真処理剤用容器内の洗浄性低下を回避でき、凹部の位置が写真処理剤用容器の外側面の高さ寸法の２／３（写真処理剤用容器１２の場合は約１６７ｍｍ）より上部で且つ外側面上端部の高さ方向５ｍｍ範囲（写真処理剤用容器１２の場合は約２４５ｍｍ）より下部であれば、洗浄液の噴射状態が多少変化した場合でも写真処理剤用容器内の洗浄性低下を回避できるとともに写真処理剤用容器の肩部周辺の剛性を必要強度に保つことができる。
【００８５】
また、凹部の最大深さ（Ｄ１）は、写真処理剤用容器の厚さ寸法（Ｌ１）の１／２以下であり、好ましくは１／４以下であり、より好ましくは１／６以下である。凹部の最大深さが写真処理剤用容器の厚さ寸法の１／２（写真処理剤用容器１２の場合は約３９ｍｍ）以下であれば、洗浄液の噴射状態が正常な場合の写真処理剤用容器内の洗浄性低下を回避でき、凹部の最大深さが写真処理剤用容器の厚さ寸法の１／４（写真処理剤用容器１２の場合は約２０ｍｍ）以下であれば、洗浄液の噴射状態が多少変化した場合でも写真処理剤用容器内の洗浄性低下を回避でき、凹部の最大深さが写真処理剤用容器の厚さ寸法の１／６（写真処理剤用容器１２の場合は約１３ｍｍ）以下であれば、洗浄液の噴射状態が多少変化した場合でも写真処理剤用容器内の洗浄性低下を回避できるとともに写真処理剤用容器の大型化が抑えられる。
【００８６】
また、凹部の高さ（Ｈ６）は、１０ｍｍ以上で且つ写真処理剤用容器の外側面の高さ寸法の２／３から５ｍｍを引いた寸法であり、好ましくは２０ｍｍ以上１００ｍｍ以下である。凹部の高さが１０ｍｍ以上であれば、誤装填防止用の凸部との嵌合を果たすことができ、凹部の高さが写真処理剤用容器の外側面の高さ寸法の２／３から５ｍｍ分を引いた寸法（写真処理剤用容器１２の場合は約１６２ｍｍ）であれば、外側面の上端部に高さ方向５ｍｍ分の凹部非形成領域を確保することができて写真処理剤用容器の肩部周辺の剛性を必要強度に保つことができる。また凹部の高さが２０ｍｍ以上であれば、誤装填防止用の凸部を大型化させることによる凸部の強度向上が図りやすくなり、凹部の高さが１００ｍｍ以下であれば、写真処理剤用容器の大型化が抑えられる。
【００８７】
また、凹部の容積は、好ましくは写真処理剤用容器の胴部の容積の３０％以下であり、より好ましくは１０％以下である。凹部の容積が写真処理剤用容器の胴部の容積の３０％確保されていれば、誤装填防止用の凸部との嵌合を果たすことができ、凹部の容積が写真処理剤用容器の胴部の容積の１０％以下であれば、誤装填防止用の凸部との嵌合を果たすとともに写真処理剤用容器の大型化が抑えられる。
【００８８】
なお、凹部の最大容積（Ｖ１）は上記の条件から四角筒状の写真処理剤用容器においては以下の（１）式により算出され、同じく四角筒状の写真処理剤用容器における胴部の容積（Ｖ２）は以下の（２）式により算出される。
・凹部の最大容積（Ｖ１）＝凹部の最大高さ寸法（写真処理剤用容器の外側面（胴部）の高さ寸法（Ｈ５）の２／３）×凹部の最大深さ寸法（写真処理剤用容器の一方の厚さ寸法（Ｌ１）の１／２）×凹部の幅寸法（写真処理剤用容器の他方の厚さ寸法（Ｌ１））・・・（１）
・写真処理剤用容器の胴部の容積（Ｖ２）＝写真処理剤用容器の外側面（胴部）の高さ寸法（Ｈ５）×写真処理剤用容器の一方の厚さ寸法（Ｌ１）×写真処理剤用容器の他方の厚さ寸法（Ｌ１）・・・（２）
したがって、四角筒状の写真処理剤用容器における最大容積の凹部が胴部の容積に占める割合（Ｒ）は以下の（３）式により算出される。
・最大容積の凹部と写真処理剤用容器の胴部の容積の比率（Ｒ）＝凹部の最大容積（Ｖ１）／写真処理剤用容器の胴部の容積（Ｖ２）×１００（％）・・・（３）
これら（１）〜（３）式により、肉厚、底部２０と胴部２４との境界部となる角部のＲ形状、底部２０中央の凹形状、胴部２４の水平断面における４つの角部のＲ形状、及び外側面２２の湾曲形状等による容積減少分を無視した場合の写真処理剤用容器１２のＶ１、Ｖ２、Ｒを算出すると以下のようになる。
・Ｖ１＝（約２５０ｍｍ×２／３）×（約７８ｍｍ×１／２）×約７８ｍｍ＝約５０７ｍＬ
・Ｖ２＝約２５０ｍｍ×約７８ｍｍ×約７８ｍｍ＝約１５２１ｍＬ
・Ｒ＝約５０７ｍＬ／約１５２１ｍＬ×１００＝約３３．３（％）
また、写真処理剤用容器１２の外側面２２の上端部に高さ方向５ｍｍ分の凹部非形成領域を確保する場合には、凹部の容積は、（約２５０ｍｍ×２／３−５ｍｍ）×（約７８ｍｍ×１／２）×約７８ｍｍ＝約４９２ｍＬとなり、この凹部と写真処理剤用容器１２の胴部２４の容積の比率は、約４９２ｍＬ／約１５２１ｍＬ×１００＝約３２．３（％）となる。
【００８９】
【発明の効果】
本発明の写真処理剤用容器は上記構成としたので、自動現像機への誤装填防止を図るために設ける凹部により容器内の洗浄性が低下することを回避できる。
【図面の簡単な説明】
【図１】本発明の第１の実施形態に係る写真処理剤カートリッジを示した正面側から見た斜視図である。
【図２】本発明の第１の実施形態に係る写真処理剤カートリッジを示した背面側から見た斜視図である。
【図３】本発明の第１の実施形態に係る写真処理剤用容器を示した正面左側から見た斜視図である。
【図４】本発明の第１の実施形態に係る写真処理剤用容器を示した正面右側から見た斜視図である。
【図５】本発明の第１の実施形態に係る写真処理剤用容器を示した正面図である。
【図６】本発明の第１の実施形態に係る写真処理剤用容器を示した右側面図である。
【図７】本発明の第１の実施形態に係る写真処理剤用容器の凹部近傍を拡大し部分断面として示した右側から見た垂直断面図である。
【図８】本発明の第１の実施形態に係る写真処理剤用容器の凹部での水平断面を示した図６の８−８線断面図である。
【図９】自動現像機のカートリッジ装填部に写真処理剤カートリッジを装填する様子を示した斜視図である。
【図１０】自動現像機のカートリッジ装填部を示した正面図である。
【図１１】本発明の第１の実施形態に係る写真処理剤用容器が洗浄される様子を示した垂直断面図である。
【図１２】本発明の第２の実施形態に係る写真処理剤用容器の凹部近傍を拡大し部分断面として示した右側から見た垂直断面図である。
【図１３】本発明の第２の実施形態に係る写真処理剤用容器が洗浄される様子を示した垂直断面図である。
【図１４】従来の写真処理剤カートリッジを示した正面側から見た斜視図である。
【図１５】従来の写真処理剤カートリッジを示した背面側から見た斜視図である。
【図１６】従来の写真処理剤用容器を示した斜視図である。
【符号の説明】
１０        写真処理剤カートリッジ
１２（１２Ａ、１２Ｂ、１２Ｃ）        写真処理剤用容器
２２        外側面
２４        胴部（外側面）
２６        凹部
３７        口部
９０        凹部
１００        自動現像機
１３０        洗浄ノズル
Ｈ４        高さ寸法（外側面の高さ寸法）
Ｌ１        厚さ寸法（容器の厚さ寸法）
Ｗ        洗浄液
【図１】
2005017835.tif 000003
【図２】
2005017835.tif 000004
【図３】
2005017835.tif 000005
【図４】
2005017835.tif 000006
【図５】
2005017835.tif 000007
【図６】
2005017835.tif 000008
【図７】
2005017835.tif 000009
【図８】
2005017835.tif 000010
【図９】
2005017835.tif 000011
【図１０】
2005017835.tif 000012
【図１１】
2005017835.tif 000013
【図１２】
2005017835.tif 000014
【図１３】
2005017835.tif 000015
【図１４】
2005017835.tif 000016
【図１５】
2005017835.tif 000017
【図１６】
2005017835.tif 000018